(57)【要約】【課題】使用者の不注意な動作で、不要に温水が出水されることを防止することができる冷温水機を提供する。【解決手段】本発明は、冷温水機に関するものである。冷温水器は、キャビネットと、前記キャビネットの内部に収容され、給水源から水を供給され、前記水を冷却する冷水タンクと、前記キャビネットの内部に収容され、前記冷水タンクから前記水を供給され、前記水を加熱する温水タンクと、前記温水タンクに接続され温水を排出する温水コックと、前記冷水タンクに接続され冷水を排出する冷水コックと、を提供する。【選択図】図３
2017065802.tif 000002
【特許請求の範囲】
【請求項１】
キャビネットと、
前記キャビネットの内部に収容され、給水源から水を供給され、前記水を冷却する冷水タンクと、
前記キャビネットの内部に収容され、前記冷水タンクから前記水を供給され、前記水を加熱する温水タンクと、
前記温水タンクに接続され温水を排出する温水コックと、
前記冷水タンクに接続され冷水を排出する冷水コックと、
前記冷水コックの後方に回転可能に配置され、前記冷水コックから排出される冷水の量を調節する冷水出水レバーと、
前記温水コックの後方に回転可能に配置され、前記温水コックから排出される温水の量を調節する温水出水レバーと、
前記キャビネットの前面に前記温水出水レバーと離隔されるように配置され、前記温水出水レバーと独立的に動作され、押圧により前後方向へ移動することで前記温水が出水される流路を開閉するボタン部と、
前記キャビネットの前面に設けられ前記ボタン部を収容する空の空間である収容部と、使用者が前記ボタン部に近づく経路を提供する開口部とが形成されたハウジングと、
前記ハウジングの前面に回転可能に配置され、前記開口部を開閉するカバーと、を含み、
前記ボタン部が押圧されて、前記温水出水レバーが加圧された状態でのみ、前記温水コックを介して温水が出水される冷温水機。
【請求項２】
前記カバーには、上部の両端に円柱状に突出形成された突起が備えられ、
前記ハウジングには、前記突起が収容される溝が形成され、
前記カバーは、前記突起を中心に回転される請求項１に記載の冷温水機。
【請求項３】
前記開口部には、段差が設けられ、
前記段差に前記カバーの下端が係止されることで、前記カバーが前記段差の後方に回転されることが防止される請求項２に記載の冷温水機。
【請求項４】
前記段差または前記カバーの下端のいずれか一方には、金属部材が備えられ、
他方には、向かい合う面に前記金属部材に引力を発生させる磁力を持つ磁石が備えられる請求項３に記載の冷温水機。
【請求項５】
前記カバーの前面には、突出形成された突出片が備えられ、
前記突出片は、前記突起より下側に形成される請求項４に記載の冷温水機。
【請求項６】
前記開口部は、前記カバーより大きく形成され、前記カバーは、前記開口部に挿入されて前記開口部を被覆し、
前記カバーの前面と前記ハウジングの前面は、同じ面の延長線上に配置される請求項１に記載の冷温水機。
【請求項７】
前記開口部の上端は、前記カバーの上端から所定の間隔を持つように高く配置され、
前記突起から前記カバーの上端までの長さは、前記突起から前記収容部の後方境界面までの長さよりも短い請求項６に記載の冷温水機。
【請求項８】
前記カバーの前面は、中央が両側に比べて膨らんだ形状を有する請求項７に記載の冷温水機。
【請求項９】
前記カバー、前記ボタン部及び前記温水出水レバーは、それらのうちいずれか一つの動作が他を動作させるように互いに連動されず、独立的に作動される請求項１に記載の冷温水機。
【請求項１０】
前記カバーは、前方に向けて回転ができ、
前記ボタン部は、後方に向かって直線運動ができ、
前記温水出水レバーは、前方または後方に向かって回転できるが、
前記カバー、前記ボタン部及び前記温水出水レバーは、互いに異なる位置に配置される請求項９に記載の冷温水機。
【発明の詳細な説明】
【技術分野】
【０００１】
本発明は冷温水機に関するもので、より詳しくは、誤作動によって温水が出水されることを防止する冷温水機に関する。
【背景技術】
【０００２】
昨今、急激な産業発達によって環境汚染がひどくなっており、この中でも、水質汚染は、深刻な水準に到逹し、大多数の地域では、家庭でも官公庁などが水を浄水処理して飲料水として飲用しているのが実情である。
【０００３】
水を浄水処理する装置として、浄水器や生水を用いる冷温水機が主に用いられているが、冷温水機は、広い意味では、水を加熱したり冷却させて冷水及び温水に供給する装置を意味し、狭い意味では、生水桶に保存された水の供給を受け、水を加熱したり冷却させて冷水及び温水に供給する装置を意味する。
【０００４】
このような冷温水機は、冷水及び温水をそれぞれ分離して保存するように冷水タンク及び温水タンクがそれぞれ別に備えられ、冷水タンクには、水を冷却するための冷却装置が備えられ、温水タンクには、水を加熱するための加熱装置が備えられる。冷水タンクと温水タンクは、別の連結管を介して相互に繋がれて、冷水タンク内部の空間に供給された水は、連結管を介して温水タンクに供給される。
【０００５】
従来技術による冷温水機は、水を取水するために回転させるレバーを備え、使用者は、レバーを回転させて水を出水させることができる。
【発明の概要】
【発明が解決しようとする課題】
【０００６】
しかし、子供たちが温水レバーを不注意に回転させて温水が子供に排出される問題があった。冷水とは異なり、温水は、高温で子供にやけどをさせる可能性があることから、不注意な操作で不要な温水が出水されないように、温水出水に対する安全性を向上させる必要がある。
【０００７】
本発明は、前記のような問題点を解決するためのものとして、使用者の不注意な動作で、不要に温水が出水されることを防止することができる冷温水機を提供することを課題とする。
【課題を解決するための手段】
【０００８】
前記の目的を果たすために、本発明は、キャビネットと、前記キャビネットの上側に据置きされる水供給タンクと、前記キャビネットの内部に収容され、前記水供給タンクから水を供給され、前記水を冷却する冷水タンクと、前記キャビネットの内部に収容され、前記冷水タンクから前記水を供給され、前記水を加熱する温水タンクと、前記温水タンクに接続され温水を排出する温水コックと、前記冷水タンクに接続され冷水を排出する冷水コックと、前記冷水コックの後方に回転可能に配置され、前記冷水コックから排出される冷水の量を調節する冷水出水レバーと、前記温水コックの後方に回転可能に配置され、前記温水コックから排出される温水の量を調節する温水出水レバーと、前記キャビネットの前面に前記温水出水レバーと離隔されるように配置され、前記温水出水レバーと独立的に動作され、押圧により前後方向へ移動することで前記温水が出水される流路を開閉するボタン部と、前記キャビネットの前面に設けられ前記ボタン部を収容する空の空間である収容部と、使用者が前記ボタン部に近づく経路を提供する開口部とが形成されたハウジングと、前記ハウジングの前面に回転可能に配置され、前記開口部を開閉するカバーと、を含み、前記ボタン部が押圧されて、前記温水出水レバーが加圧された状態でのみ、前記温水コックを介して温水が出水される冷温水機を提供する。
【０００９】
前記カバーには、上部の両端に円柱状に突出形成された突起が備えられ、前記ハウジングには、前記突起が収容される溝が形成され、前記カバーは、前記突起を中心に回転されることが可能である。
【００１０】
前記開口部には、段差が設けられ、前記段差に前記カバーの下端が係止されることで、前記カバーが前記段差の後方に回転されることが防止されることができる。
【００１１】
前記段差には、金属部材が備えられ、前記カバーの下端には、前記金属部材に引力を発生させる磁力を持つ磁石が備えられることができる。
【００１２】
前記カバーの前面には、突出形成された突出片が備えられ、前記突出片は、前記突起より下側に形成されることができる。
【００１３】
前記開口部は、前記カバーより大きく形成され、前記カバーは、前記開口部に挿入されて前記開口部を被覆し、前記カバーの前面と前記ハウジングの前面は、同じ面の延長線上に配置されることができる。
【００１４】
前記開口部の上端は、前記カバーの上端から所定の間隔を持つように高く配置され、前記突起から前記カバーの上端までの長さは、前記突起から前記収容部の後方境界面までの長さよりも短いことが可能である。
【００１５】
前記カバーの前面は、中央が両側に比べて膨らんだ形状を有することが可能である。
【００１６】
前記カバー、前記ボタン部及び前記温水出水レバーは、それらのうちいずれか一つの動作が他を動作させるように互いに連動されず、独立的に作動されることができる。
【００１７】
前記カバーは、前方に向けて回転ができ、前記ボタン部は、後方に向かって直線運動ができ、前記温水出水レバーは、前方または後方に向かって回転できるが、前記カバー、前記ボタン部及び前記温水出水レバーは、互いに異なる位置に配置されることができる。
【発明の効果】
【００１８】
本発明によると、温水を出水するときは、使用者が互いに異なる動作方式を有する三つの動作を実行すべきであるので、子供などの不注意で温水が出水される安全性に関連する問題が発生するのを防ぐことができる。
【図面の簡単な説明】
【００１９】
【図１】本発明の一実施例による冷温水機を図示する斜視図である。
【図２】図１の側断面図である。
【図３】図２の要部の作動状態を図示する断面図である。
【図４】図３を前面で見た図面である。
【図５】カバーがハウジングに結合された状態を図示する図面である。
【発明を実施するための形態】
【００２０】
以下、前記の目的を具体的に実現することができる本発明の好ましい実施例を添付した図面を参照して説明する。
【００２１】
本実施形態で、図面に図示された構成要素の大きさや形状などは、説明の明瞭性と便宜上のために、誇張して図示され得る。また、本発明の構成及び作用を考慮して特別に定義された用語は、使用者、運用者の意図または慣例によって変わることができる。このような用語に対する定義は、本明細書の全般にわたる内容に基づいてなされるべきである。
【００２２】
本発明の冷温水機は、水が供給される給水源として、外部の水道管に繋がれる直水型タイプも含むことができるが、説明の便宜上、交換が可能な水供給タンクを基準に説明する。
【００２３】
図１は本発明の一実施例による冷温水機を図示する斜視図であり、図２は図１の側断面図である。
【００２４】
図１及び図２を参照すると、本発明の一実施例による冷温水機は、外観を形成するキャビネット１０、前記キャビネット１０の上側に据置きされる水供給タンク２、前記キャビネット１０の内部に収容され、前記水供給タンクから水を供給され、水を冷却する冷水タンク２０、前記キャビネット１０の内部に収容され、前記冷水タンク２０から水を供給され、水を加熱する温水タンク３０を含む。
【００２５】
前記キャビネット１０は、その内部に前記温水タンク３０に熱を供給するヒーティング装置、前記冷水タンク２０に冷気を供給する圧縮機などを含むように内側に空間が形成される。
【００２６】
前記水供給タンク２は、外部から供給される水が収容される空間として、周期的に交換されることができ、多様な形状を実現することができる。
【００２７】
前記水供給タンク２、前記冷水タンク２０、前記温水タンク３０は、上から順番に配置されて、前記水供給タンク２に収容された水が前記冷水タンク２０に重力によって移動され、前記冷水タンク２０に収容された水が前記温水タンク３０に重力によって下方に順番に移動され、全体的に前記水供給タンク２の内部の水が分配される。このとき、前記水供給タンク２と前記温水タンク３０は、直接には接続されず、その間に前記冷水タンク２０を媒介として互いに接続される。
【００２８】
一実施例は、前記温水タンク３０に接続され温水を排出する温水コック３２、前記冷水タンク２０に接続され冷水を排出する冷水コック２２をそれぞれ備える。
【００２９】
そして、冷温水機は、前記冷水コック２２の後方に配置され、前記冷水コック２２から排出される冷水の量を調節する冷水出水レバー２６と、前記温水コック３２の後方に配置され、前記温水コック３２から排出される温水の量を調節する温水出水レバー３６を含む。前記温水出水レバー３６と前記冷水出水レバー２６は、前記キャビネット１０に回転可能に設置されて、使用者が前記温水出水レバー３６及び前記冷水出水レバー２６を回転させる動作によって水を出水することができる。
【００３０】
前記キャビネット１０の前面で、前記温水コック３２の前方に位置する部分には、ハウジング７０が設置される。前記ハウジング７０は、その内側にボタン部を含むが、前記ボタン部については、他の図面を用いて説明する。
【００３１】
前記ハウジング７０には、カバー９０が設けられて前記ハウジング７０に形成された開口部を開閉することができる。
【００３２】
図３は図２の要部の作動状態を図示する断面図であり、図４は図３を前面で見た図面であり、図５はカバーがハウジングに結合された状態を図示する図面である。
【００３３】
具体的に、図３ａと図４ａはカバーが回転されない状態を図示する図面であり、図３ｂと図４ｂはカバーが回転されてハウジングの内部が公開された状態を図示する図面である。
【００３４】
以下、図３ないし図５を参照して説明すると、本発明の一実施例は、前記キャビネット１０の前面に設置されるボタン部５０、前記ボタン部５０を収容するハウジング７０及び前記ハウジング７０の開口部７４を開閉するカバー９０を含む。
【００３５】
前記ボタン部５０は、前記温水出水レバー３６と離隔されるように配置され、前記温水出水レバー３６と独立的に動作され、押圧により前後方向に移動されて温水が出水される流路を開閉する。すなわち、使用者が前記ボタン部５０を押圧すると、前記温水コック３２と前記温水タンク３０を連結する流路に配置されるバルブが流路を開放することができる。
【００３６】
前記ハウジング７０は、前記キャビネット１０の前面に設置されて、前記ボタン部５０を収容する空の空間である収容部７２と、使用者が前記ボタン部５０に近づく経路を提供する開口部７４が形成される。
【００３７】
すなわち、前記収容部７２には、前記ボタン部５０が配置されて、使用者は前記開口部７４に指を入れて前記ボタン部５０を後方に押すことができる。
【００３８】
前記カバー９０は、前記ハウジング７０の前面に回転可能に配置して、前記開口部７４を開閉することができる。
【００３９】
前記ハウジング７０は、前記収容部７２に前記ボタン部５０が配置されるように、前記キャビネット１０に設置される部材であり得る。
【００４０】
前記カバー９０には、上部の両端に円柱状に突出形成された突起９２が備えられ、前記ハウジング７０には、前記突起が収容される溝７９が形成され、前記カバー９０は、前記突起９２を中心に回転することができる。
【００４１】
前記ハウジング７０の開口部７４には、段差７６が設けられる。前記段差７６は、前記開口部７４に段差が付いている部分を意味する。前記段差７６は、前記開口部７４の下端に設けられ、前記カバー９０の下端に接触して、前記カバー９０が前記段差７６を越えて後方に回転するのを防止することができる。
【００４２】
前記段差７６には、金属部材９６が備えられ、前記カバー９０の下端には、前記金属部材９６に引力を発生させる磁力を持つ磁石７８が備えられてもよい。このとき、前記金属部材９６は、使用者に露出されないように前記段差７６の内部に埋め込まれるようにインサート射出され得る。また、前記磁石７８も、使用者に露出されないように前記カバー９０に埋め込まれるようにインサート射出され得る。
【００４３】
もちろん、前記磁石７８と前記金属部材９６は、互いに位置が反対に配置されることも可能である。位置が反対に変わっても、前記磁石７８と前記金属部材９６は、磁力によって同じ機能を実行することができる。
【００４４】
すなわち、前記段差または前記カバーの下端のうち、いずれか一方には、金属部材が備えられ、他方には、向かい合う面に前記金属部材に引力を発生させる磁力を持つ磁石が備えられて、前記段差と前記カバーの下端が磁力によって接触が維持されたり、案内されたりするようにすることが可能である。
【００４５】
前記金属部材９６と前記磁石７８は、前記カバー９０が前記開口部７４を被覆したときに、前記金属部材９６が前記磁石７８の磁力が十分に与えることができる距離の範囲内に存在することが好ましい。したがって、前記カバー９０が前記開口部７４を被覆した状態で前記カバー９０が前記ハウジング７０に対してガタガタという音などが発生することを防止することができる。
【００４６】
前記開口部７４は、前記カバー９０より大きく形成され、前記カバー９０は、前記開口部７４に挿入されて前記開口部７４を被覆し、前記カバー９０の前面と前記ハウジング７０の前面は、同じ面の延長線上に配置されることができる。したがって、前記カバー９０が前記開口部７４を被覆した状態では、前記カバー９０が突出して不要な空間を占めることがなくなる。
【００４７】
前記開口部７４の上端は、前記カバー９０の上端から所定の間隔を持つように高く配置されて、前記カバー９０が前記開口部７４を被覆した状態では、前記開口部７４の上端と前記カバー９０の上端との間は所定の空間を形成する。
【００４８】
前記突起９２から前記カバー９０の上端までの長さは、前記突起９２から前記収容部７２の後方の境界面までの長さよりも短いことが好ましい。したがって、前記カバー９０が前方に回転されるときに、回転の中心軸になる前記突起９２から前記カバー９０までの部分が前記収容部７２に引っ掛かることがなくなる。したがって、使用者は、前記カバー９０を十分に前方に回転させることができ、前記開口部７４を介して前記ボタン部５０に近づいて、前記ボタン部５０を押して後方に移動させることができる。
【００４９】
前記カバー９０の前面は、中央が両側に比べて膨らんだ形状を有していてもよい。したがって、使用者が前記カバー９０を押しても前記カバー９０は、使用者の押圧による変形がない程度の構造的強度を確保することができる。
【００５０】
前記カバー９０の前面には、突出形成された突出片９４が備えられ、前記突出片９４は、前記突起９２より下側に形成される。使用者は、前記突出片９４に指を接触させた後、前記カバー９０を持ち上げながら前方に向けて回転させることができる。前記突出片９４は、使用者の指との接触面積を増やして摩擦を増加させて、使用者が簡単に前記カバー９０を回転させるようにする機能を実行する。
【００５１】
一方、前記温水出水レバー３６は、回転されながら前記温水タンク３０と前記温水コック３２を連結する流路を開閉するように設けられる。この場合、前記ボタン部５０が押されて流路が開放されても、前記温水出水レバー３６によって流路が開放されなければ、前記温水コック３２に温水が出水されない。同様に、前記温水出水レバー３６によって流路が開放されても、前記ボタン部５０によって流路が開放されなければ、温水は出水されない。すなわち、前記温水出水レバー３６と前記ボタン部５０が一緒に流路を開放する場合のみ、前記温水コック３２に温水が排出される。
【００５２】
以下、前述した冷温水機の動作について説明する。
【００５３】
使用者が前記温水コック３２から温水を出水するためには、前記ボタン部５０と前記温水出水レバー３６で一緒に前記温水タンク３０と前記温水コック３２を連結する流路を開放しなければならない。すなわち、前記ボタン部５０が押されて後方に移動され、前記温水出水レバー３６は、前方または後方に回転されなければならない。
【００５４】
使用者は、前記温水出水レバー３６を回転させた状態で、前記カバー９０を前方に回転させることができる。
【００５５】
使用者の手は、前記突出片９４を把持できるため、前記カバー９０に容易に力を加えることができる。
【００５６】
前記カバー９０は、中央が膨らんだ形状を持つため、使用者が瞬間的に押す力を加えても、前記カバー９０が十分な強度を確保するため、前記カバー９０が破損する危険性はない。
【００５７】
また、前記カバー９０は、前記開口部７４に収容されるように挿入された状態であるため、使用者が前記突出片９４にだけ手を接触させて回転させることができるが、前記カバー９０の側面に手を接触させても回転させることができない。本発明では、前記カバー９０を回転させるために使用者の意図を明確に要求し、それに応じて、使用者が適切な行動を取る場合にだけ、前記カバー９０が回転されるように構成して、安全性を向上させることができる。
【００５８】
使用者が前記カバー９０を前方に回転させると、前記カバー９０の上側が前記収容部７２の後方に移動されながら、前記カバー９０が回転することができる。前記カバー９０が回転する最中に前記カバー９０の上端が前記収容部７２の後方境界面に触れないので、前記カバー９０が十分に回転することができる。
【００５９】
前記突起９２は、前記カバー９０の両端に設けられて、前記カバー９０が前記ハウジング７０に対して安定的に回転することができる構造を設けることができる。
【００６０】
そして、使用者は、前記開口部７４を介して前記ボタン部５０を押して後方に移動させる。前記ボタン部５０が後方に移動されながら流路を開放することができる。
【００６１】
しかし、本発明では、前記ボタン部５０と前記温水出水レバー３６が一緒に流路を開放した場合にのみ、温水が前記温水コック３２を介して出水させることができる。例えば、前記ボタン部５０の操作が伝達されるバルブと前記温水出水レバー３６の操作が伝達されるバルブがそれぞれ備えられ、二つのバルブが流路を開放する場合に限って、前記温水コック３２に温水が出水するようにすることもできる。
【００６２】
本発明では、前記カバー９０、前記ボタン部５０及び前記温水出水レバー３６は、それらのうちいずれか一つの部材の動作が他の部材を動作させるように互いに連動されず、それぞれ独立的に作動する。例えば、前記カバー９０を回転させた場合でも、そのような回転動作が前記ボタン部５０や前記温水出水レバー３６を移動させるなどの連動が発生しない。
【００６３】
したがって、使用者は、温水を出水するため、三つの動作を実行すべきであるので、温水を出水するときに条件が増え、したがって、温水出水に対する安全性が向上する。
【００６４】
前記カバー９０は、前方に向けて回転可能であり、前記ボタン部５０は、後方に向かって直線運動が可能であり、前記温水出水レバー３６は、前方または後方に向かって回転可能である。前記カバー９０、前記ボタン部５０、前記温水出水レバー３６は、他の形態の動作によって作動が可能であるから、使用者が任意の一つの動作をして、望まない状態で温水が出水されることを防止することができる。
【００６５】
特に、前記カバー９０、前記ボタン部５０及び前記温水出水レバー３６は、互いに異なる位置に配置されて、使用者が一つの手で前記カバー９０、前記ボタン部５０及び前記温水出水レバー３６を一度に動作させることが不可能である。特に、前記温水コック３２を中心に後方または下方に前記温水出水レバー３６が配置され（使用者が接触して操作することができる部分を基準に説明する）、前記カバー９０と前記ボタン部５０は、前記温水コック３２の上方または前方に配置されるので、前記温水コック３２を中心に少なくとも二つの部材が分離されて位置する。したがって、使用者が瞬間的に片手ですべての部材を動作させることは不可能であり、温水を出水するために離れている複数の部材を動作させることが要求されるため、温水出水に対する安全度が増加され、使用者が傷害を被ることが防止される。
【００６６】
本発明は、前述した実施例に限定されず、添付された請求の範囲で知ることができるように、本発明が属する分野の通常の知識を有する者によって変形が可能であり、これらの変形は本発明の範囲に属する。
【符号の説明】
【００６７】
１０：キャビネット          ３２：温水コック
３６：温水出水レバー        ５０：ボタン部 
７０：ハウジング            ７４：開口部
７６：段差                  ９０：カバー
９４：突出片
【図１】
2017065802.tif 000003
【図２】
2017065802.tif 000004
【図３】
2017065802.tif 000005
【図４】
2017065802.tif 000006
【図５】
2017065802.tif 000007